(57)【要約】    【課題】  圧排具の使用時、膨張状態の風船部材は、移動範囲を広くして移動後の位置や姿勢が制限され難くする。また、トロカールが占領されず、人手を取られなくする。    【解決手段】  風船部材１の口部に弁６を設け、弁に通路部材２１を接続可能、分離可能にし、弁に通路部材を接続すると、弁が開通して風船部材と通路部材が連通する構成にし、風船部材は収縮状態でトロカールＴを通過可能にし、通路部材はトロカールＴに貫通可能にし、風船部材は通路部材を経て流体を供給して膨張状態にする構成にし、弁から通路部材を分離すると、弁が閉鎖して風船部材の口部が閉鎖する構成にし、風船部材は、膨張状態にして通路部材を分離すると、膨張状態が維持され、移動自在になる圧排具。【選択図】  図９
2011083397.tif 000002
【特許請求の範囲】
【請求項１】
風船部材の口部に弁を設け、弁に通路部材を接続可能、分離可能にし、弁に通路部材を接続すると、弁が開通し、風船部材と通路部材が連通する構成にし、
風船部材は収縮状態でトロカールを通過可能にし、通路部材はトロカールに貫通可能にし、風船部材は通路部材を経て流体を供給して膨張状態にする構成にし、
通路部材は弁から分離すると、弁が閉鎖し、風船部材の口部が閉鎖する構成にし、風船部材は、膨張状態にして通路部材を分離すると、膨張状態が維持されることを特徴とする圧排具。
【請求項２】
風船部材は弾性材の成形品にし、
通路部材は湾曲容易な軟質管にしたことを特徴とする請求項１に記載の圧排具。
【請求項３】
風船部材に供給する流体は、生理食塩水にしたことを特徴とする請求項１又は２に記載の圧排具。
【請求項４】
請求項１、２又３に記載の圧排具を使用する方法であって、
圧排具は、風船部材の弁に通路部材を接続し、風船部材を収縮状態にし、この状態でトロカールに挿入し、収縮状態の風船部材はトロカールを通過し、通路部材はトロカールに貫通し、
風船部材は通路部材を経て流体供給源から流体を供給し、風船部材が膨張状態になると、トロカールに貫通した鉗子の操作で弁から通路部材を分離し、風船部材は膨張状態を維持して移動自在にし、通路部材はトロカールから抜き出し、
膨張状態の風船部材は、トロカールに貫通した鉗子の操作又は自然落下で移動し、圧排位置に配置し、
風船部材が使用済みになると、通路部材をトロカールに通し、トロカールに貫通した鉗子の操作で通路部材を風船部材の弁に接続し、風船部材内の流体は通路部材を経て排出し、風船部材は収縮状態にしてトロカールを通過させることを特徴とする圧排具の使用方法。
【発明の詳細な説明】
【技術分野】
【０００１】
本発明は、内視鏡下手術において、作業空間と視野を確保するため、邪魔になる臓器の位置、姿勢や形状を変える圧排技術に関する。
【背景技術】
【０００２】
中空の風船部材を膨張させて収縮させる圧排具は、風船部材が臓器に愛護的である。その基本構造は、次の通りである。
風船部材は、ロッドの一端に接続して固着している。ロッドは、通路部材の硬質管にし、流体通路を構成している。ロッドの他端は、空気などの流体の供給源を接続可能にしている。また、ロッドの他端は、外周部をハンドルに形成している。
【０００３】
腹部の内視鏡下手術では、患者の腹壁の数個所にそれぞれ管状のトロカールを貫通する。トロカールには、風船部材を収縮させた圧排具を挿入する。収縮状態の風船部材は、トロカールの内端から腹腔に入れる。ハンドルは、トロカールの外端から突き出た状態にする。腹腔内の風船部材には、ロッドを経て流体供給源から流体を供給する。風船部材は、流体で膨張させる。
【０００４】
次に、膨張状態の風船部材は、ハンドルを握った手の操作で腹腔内を移動させ、手術の邪魔になる臓器に押し当て、臓器の位置、姿勢や形状を変える。臓器は、手術の邪魔にならない圧排状態にする。そして、ハンドルを握った手を止め、膨張状態の風船部材をその位置、姿勢に保持する。臓器は、圧排状態が維持される。
【０００５】
圧排具は、使用済みになると、風船部材内の流体をロッドを経て排出する。風船部材は、収縮させる。そして、圧排具は、トロカールから抜き出す。
【先行技術文献】
【特許文献】
【０００６】
【特許文献１】特開平６−２９６７００号公報
【特許文献２】登録実用新案第３１３２６２９号公報
【発明の概要】
【発明が解決しようとする課題】
【０００７】
［課  題］
上記のような圧排具は、膨張状態の風船部材を患者の体腔内で移動させるとき、風船部材が通路部材のロッドに連結していて、ロッドがトロカールに挿入している。従って、体腔内の膨張状態の風船部材は、移動範囲が狭く、移動後の位置や姿勢が制限される。手術の邪魔になる臓器の位置、姿勢や形状を所望の通りに変更し難い。
また、圧排具は、使用中、ロッドをトロカールに挿入した状態で、ハンドルを手で握り、体腔内の膨張状態の風船部材を保持する。従って、圧排具の使用中、トロカールが占領され、人手を取られる。
【０００８】
［着  想］
１）圧排具は、体腔内の膨張状態の風船部材から通路部材を分離することにした。
風船部材の口部には、弁を設け、弁に通路部材を接続可能、分離可能にする。弁に通路部材を接続すると、弁が開通し、風船部材と通路部材が連通する構成にする。また、弁から通路部材を分離すると、弁が閉鎖し、風船部材の口部が閉鎖する構成にする。
【０００９】
圧排具は、使用時、風船部材の口部の弁に通路部材を接続する。風船部材は、収縮状態にする。風船部材を収縮させた圧排具は、トロカールに挿入する。収縮状態の風船部材は、トロカールを通過し、体腔に入れる。風船部材に接続した通路部材は、トロカールに貫通する。体腔内の風船部材は、通路部材を経て流体供給源から流体を供給する。風船部材が膨張状態になると、別のトロカールを経て体腔内に入れた鉗子の操作で弁から通路部材を分離する。すると、弁が閉鎖する。風船部材は、口部が閉鎖して膨張状態が維持される。また、膨張状態の風船部材は、通路部材から分離し、体腔内で移動自在になる。
【００１０】
風船部材から分離した通路部材は、トロカールから抜き出す。トロカールは、空き状態になる。
体腔内の膨張状態の風船部材は、トロカールを経て体腔内に入れた鉗子の操作と患者の体位変換による自然落下で移動し、手術の邪魔になる臓器に当て、臓器の位置、姿勢や形状を変える。臓器は、手術の邪魔にならない状態にする。臓器を圧排状態にしたところで、患者の体位を保持する。鉗子は、風船部材から放す。膨張状態の風船部材は、体腔内の圧排位置に置き去りにする。
【００１１】
風船部材が使用済みになると、通路部材をトロカールに通し、別のトロカールを経て体腔内に入れた鉗子の操作で通路部材を風船部材に接続する。すると、弁が開通する。風船部材と通路部材が連通する。風船部材内の流体は、通路部材を経て患者の体外に排出する。風船部材は、収縮状態にする。収縮状態の風船部材は、トロカールを通過させて体外に排出する。
【００１２】
２）圧排具の具体例は、次の通りである。
風船部材は、ゴム風船式や紙風船式の構成にする。ゴム風船式の風船部材は、ゴムのような弾性材の成形品である。紙風船式の風船部材は、合成樹脂フイルムのようなシート材を貼り合わせた構造である。ゴム風船式の風船部材は、紙風船式のそれより、収縮させ易い。
【００１３】
通路部材は、軟質や硬質の構成にする。軟質の通路部材は、軟質合成樹脂製やゴム製の湾曲容易な軟質管である。硬質の通路部材は、硬質合成樹脂製や金属製の湾曲困難な管である。
【００１４】
弁は、弁体がばねで弁座に押し付けられて閉鎖している常時閉鎖型にする。そして、通路部材を接続すると弁体が押し返されて開通する構成にする。通路部材を分離すると弁体が復元して閉鎖する構成にする。
【００１５】
風船部材に供給する流体は、気体や液体にする。液体は、気体より密度が高い。風船部材は、液体を充填すると、重くなり、体腔内の圧排位置に置き去りにしたとき、位置や姿勢がずれ難い。風船部材は、気体を充填すると、軽くなり、体腔内の圧排位置に配置するとき、移動させ易い。安全面から、液体は生理食塩水が、気体は二酸化炭素が好ましい。
【課題を解決するための手段】
【００１６】
１）風船部材の口部に弁を設け、弁に通路部材を接続可能、分離可能にし、弁に通路部材を接続すると、弁が開通し、風船部材と通路部材が連通する構成にし、
風船部材は収縮状態でトロカールを通過可能にし、通路部材はトロカールに貫通可能にし、風船部材は通路部材を経て流体を供給して膨張状態にする構成にし、
通路部材は弁から分離すると、弁が閉鎖し、風船部材の口部が閉鎖する構成にし、風船部材は、膨張状態にして通路部材を分離すると、膨張状態が維持されることを特徴とする圧排具。
２）上記の圧排具において、
風船部材は弾性材の成形品にし、
通路部材は湾曲容易な軟質管にしたことを特徴とする。
３）上記の圧排具において、
風船部材に供給する流体は、生理食塩水にしたことを特徴とする。
４）上記の圧排具を使用する方法であって、
圧排具は、風船部材の弁に通路部材を接続し、風船部材を収縮状態にし、この状態でトロカールに挿入し、収縮状態の風船部材はトロカールを通過し、通路部材はトロカールに貫通し、
風船部材は通路部材を経て流体供給源から流体を供給し、風船部材が膨張状態になると、トロカールに貫通した鉗子の操作で弁から通路部材を分離し、風船部材は膨張状態を維持して移動自在にし、通路部材はトロカールから抜き出し、
膨張状態の風船部材は、トロカールに貫通した鉗子の操作又は自然落下で移動し、圧排位置に配置し、
風船部材が使用済みになると、通路部材をトロカールに通し、トロカールに貫通した鉗子の操作で通路部材を風船部材の弁に接続し、風船部材内の流体は通路部材を経て排出し、風船部材は収縮状態にしてトロカールを通過させることを特徴とする圧排具の使用方法。
【発明の効果】
【００１７】
風船部材は、膨張状態にして通路部材を分離すると、膨張状態が維持され、移動自在になる。膨張状態の風船部材は、圧排位置に配置する際、移動範囲が広く、移動後の位置や姿勢が制限され難い。
また、圧排具の使用中、トロカールが占領されず、人手を取られない。
【図面の簡単な説明】
【００１８】
【図１】本発明の実施形態における圧排具の風船部材の側面図。
【図２】同風船部材の口部、弁部分の拡大縦断面図。
【図３】図２のＡ−Ａ線断面図。
【図４】同風船部材の膨張状態の側面図。
【図５】同圧排具の通路部材の側面図。
【図６】同通路部材の接続部の拡大縦断面図。
【図７】同通路部材の接続部の正面図。
【図８】同風船部材と通路部材の接続状態を示す断面図。
【図９】同圧排具の使用状態を示す模式図。
【図１０】同圧排具の使用状態を示す模式図。
【図１１】同圧排具の使用状態を示す模式図。
【図１２】同圧排具の使用状態を示す模式図。
【図１３】同圧排具の使用状態を示す模式図。
【図１４】同圧排具の使用状態を示す模式図。
【発明を実施するための形態】
【００１９】
実施形態の圧排具は、図１〜図４に示す風船部材１に、図５〜図７に示す通路部材２１を、図８に示すように、接続可能にしている。風船部材１に接続した通路部材２１は、分離可能にしている。
【００２０】
風船部材１は、風船２に弁６を付けている。
風船２は、弾性材の成形品にしている。弾性材は、シリコンやウレタンなどの弾性合成樹脂、天然ゴムや合成ゴムにしている。風船２は、細長い円筒形状にし、一端を閉鎖し、他端を開口して口部３にしている。この風船２は、遊具のゴム風船のように膨張して収縮する。流体が充填されると、周壁が伸びて外径が拡大する。口部３が開放されると、周壁が縮んで流体が排出され、外径が縮小する。大人の腹部用の寸法は、収縮状態で、外径が１０ｍｍ位で、長さが３５０ｍｍ位にしている。膨張状態で、外径が１００ｍｍ位で、長さが３００ｍｍ位にしている。
【００２１】
弁６は、円筒形状の本体７に丸軸形状の弁体８を軸心方向に移動可能に嵌合している。本体７と弁体８は、硬質材の成形品にしている。硬質材は、ポリプロピレンやＡＢＳ樹脂などの硬質合成樹脂にしている。本体７は、一端部を小径の風船連結部１１にしている。風船連結部１１には、風船２の口部３を被せて固着している。本体７の他端部は、中径の通路接続部１２にしている。通路接続部１２は、開口して受口にしている。本体７の中央部は、大径の弁室１３にしている。弁室１３は、風船連結部１１側に段差部を、通路接続部１２側に弁座部１４を形成している。
【００２２】
弁体８は、小径の丸軸の風船連結部１１側の端を風船連結部１１に挿入し、丸軸の端と風船連結部１１の内周面との間に流体通過用の隙間を設けている。丸軸の中央部には、大径の開閉部１６を設けている。開閉部１６は、外周部に複数の流体通過用の溝１７を軸心方向に貫通している。この開閉部１６は、弁室１３にピストンのように嵌合している。また、弁体８は、丸軸の通路接続部１２側の端部を弁座部１４の中心孔に貫通し、丸軸の端部と弁座部１４の内周面の間に流体通過用の隙間を設けている。丸軸の通路接続部１２側の端には、中径の操作部１８を設けている。操作部１８は、通路接続部１２に挿入し、通路接続部１２の内周面との間に流体通過用の隙間を設けている。
【００２３】
弁室１３の段差部と弁体８の開閉部１６の間には、螺旋ばね９を嵌め込んでいる。螺旋ばね９は、弾性力で開閉部１６を弁座部１４に押し付けている。開閉部１６は、外周部を弁座部１４に押し当て、弁座部１４の中心孔を閉鎖すると共に、流体通過用の溝１７を閉鎖している。弁６は、開閉部１６が弁座部１４に螺旋ばね９で押し付けられて閉鎖している。
【００２４】
弁体８は、図８に示すように、操作部１８を押し込んで螺旋ばね９に抗して後退させると、開閉部１６が弁座部１４から離れ、弁座部１４の中心孔が開通すると共に、流体通過用の溝１７が開通する。通路接続部１２が弁座部１４の中心孔と流体通過用の溝１７を介して風船連結部１１に連通する。弁６は、弁体８を螺旋ばね９に抗して後退させると、開通する。また、弁体８を螺旋ばね９に抗して後退させる力をなくすると、弁体８は、螺旋ばね９の弾性力で前進し、開閉部１６が弁座部１４に押し付けられる。弁６は、閉鎖する。
【００２５】
通路部材２１は、管２２に接続体２３を付けている。
管２２は、軟質材の成形品にしている。軟質材は、シリコンやウレタンなどの軟質合成樹脂や天然ゴムや合成ゴムにしている。管２２は、細長い円管にし、湾曲容易な軟質管にしている。接続体２３は、硬質材の成形品にしている。硬質材は、ポリプロピレンやＡＢＳ樹脂などの硬質合成樹脂にしている。接続体２３は、円筒形状にし、一端側を管連結部２６に、他端側を差込部２７にしている。管連結部２６には、管２２の一端を被せて固着している。差込部２７は、外周面を先細のテーパにし、先端に複数の流体通過用の溝２８を径方向に貫通している。
【００２６】
差込部２７は、図８に示すように、弁６の通路接続部１２に差し込んで接続する。すると、差込部２７は、先端が操作部１８に当たって弁体８を螺旋ばね９に抗して後退させる。弁６は、開通する。また、差込部２７は、外周のテーパ面が通路接続部１２の内周面に密接して通路接続部１２に密に嵌合される。通路部材２１は、図８に矢印で示すように、開通中の弁６を経て風船部材１に連通する。通路接続部１２から差込部２７を抜き出すと、弁体８が螺旋ばね９の弾性力で前進し、開閉部１６が弁座部１４に押し付けられる。弁６は、閉鎖する。風船部材１は、口部３が閉鎖する。
【００２７】
管２２の他端は、図示しないが、流体供給源に接続可能にしている。流体供給源は、注射器やポンプ装置が例示される。流体は、液体として生理食塩水、気体として二酸化炭素が例示される。
【００２８】
圧排具は、使用時、風船部材１に通路部材２１を接続する。風船部材１は、収縮状態にする。圧排具は、図９に示すように、患者の腹壁ｗに貫通したロカールＴに挿入する。収縮状態の風船部材１は、トロカールＴを通過し、腹腔ｃに入れる。通路部材２１は、トロカールＴに貫通する。風船部材１には、図１０に示すように、通路部材２１を経て流体供給源ｓから流体を供給する。図１１に示すように、風船部材１が膨張状態になると、別のトロカールｔに貫通した鉗子ｆの操作で、風船部材１から通路部材２１を分離する。弁６が閉鎖して口部３が閉鎖する。風船部材１から分離した通路部材２１は、トロカールＴから抜き出す。すると、図１２に示すように、風船部材１は、膨張状態が維持され、腹腔ｃ内で移動自在になる。トロカールＴは、空き状態になる。
【００２９】
腹腔ｃ内の膨張状態の風船部材１は、トロカールｔに貫通した鉗子ｆの操作と患者の体位変換による自然落下で移動し、手術の邪魔になる臓器に当て、臓器の位置、姿勢や形状を変える。臓器を圧排位置に配置したところで、患者の体位を保持する。鉗子ｆは、風船部材１から放す。風船部材１は、圧排位置に置き去りにする。
【００３０】
風船部材１が使用済みになると、図１３に示すように、トロカールＴに通路部材２１を通し、トロカールｔに貫通した鉗子ｆの操作で通路部材２１を風船部材１に接続する。すると、弁６が開通する。風船部材１内の流体は、風船２の収縮により通路部材２１を経て患者の体外に排出される。風船部材１は、図１４に示すように、収縮状態になる。収縮状態の風船部材１に接続した通路部材２１は、トロカールＴから抜き出す。収縮状態の風船部材１は、トロカールＴを通過させて体外に排出する。
【００３１】
［変形例］
１）上記の実施形態において、風船２は、膨張状態の形状を円柱形状にしているが、四角柱形状又は三角柱形状にする。若しくは、円錐形状又は角錐形状にする。又は、球形状にする。
２）上記の実施形態において、風船２は、寸法を大人用にしているが、子供用にする。また、腹部用にしているが、胸部用にする。
【符号の説明】
【００３２】
１  風船部材
２  風船
３  口部
６  弁
７  弁の本体
８  弁体
９  螺旋ばね
１１  弁の風船連結部
１２  弁の通路接続部
１３  弁室
１４  弁座部
１６  開閉部
１７  開閉部の流体通過用溝
１８  操作部
２１  通路部材
２２  管
２３  接続体
２６  接続体の管連結部
２７  接続体の差込部
２８  差込部の流体通過用溝
ｗ  腹壁
ｃ  腹腔
Ｔ、ｔ  トロカール
ｓ  流体供給源
ｆ  鉗子
【図１】
2011083397.tif 000003
【図２】
2011083397.tif 000004
【図３】
2011083397.tif 000005
【図４】
2011083397.tif 000006
【図５】
2011083397.tif 000007
【図６】
2011083397.tif 000008
【図７】
2011083397.tif 000009
【図８】
2011083397.tif 000010
【図９】
2011083397.tif 000011
【図１０】
2011083397.tif 000012
【図１１】
2011083397.tif 000013
【図１２】
2011083397.tif 000014
【図１３】
2011083397.tif 000015
【図１４】
2011083397.tif 000016